(57)【要約】【課題】１つのリモコン装置に対して複数の機器に対応する操作機能の設定を好適に切り替えることができるリモコン装置設定切替システムを実現する。【解決手段】リモコン装置設定切替システム１００において、リモコン装置１０が所定の機器（テレビ２０、ビデオ３０）に対して操作キー群１１の各操作キーに割り当てられたキー情報（ＩＤ）を送信するとともに、所定の機器がキー情報に操作コードを対応付けて作成したリモコンデータをリモコン装置１０に送信するといった、リモコン装置１０のキー情報を中核とした双方向の通信を行うことによって、より確実にリモコン装置１０の各操作キーに所定の操作コードを対応付けて、リモコン装置１０が、複数の機器をそれぞれ遠隔操作可能とする設定を好適に切り替えることができるようにした。【選択図】図２
2007312103.tif 000002
【特許請求の範囲】
【請求項１】
所定数の操作キーが予め設けられたリモコン装置が、複数の機器をそれぞれ操作することができるように、前記リモコン装置の設定を切り替えるリモコン装置設定切替システムであって、
前記リモコン装置は、当該リモコン装置の各操作キーに割り当てられたキー情報を、所定の機器に送信する第１の送信手段を備え、
前記所定の機器は、前記リモコン装置から送信された前記キー情報に対して当該機器を操作し動作制御するための操作コードを対応付けてなるリモコンデータを作成するリモコンデータ作成手段と、前記リモコンデータ作成手段によって作成された前記リモコンデータを前記リモコン装置に送信する第２の送信手段と、を備えるとともに、
前記リモコン装置は、前記機器から送信された前記リモコンデータを記憶する記憶手段と、前記操作キーが操作されたことに基づきその操作キーに対応付けられた操作コードを前記機器に送信する第３の送信手段と、を備え、
更に、前記リモコン装置は、前記各操作キーの点灯／消灯を切り替える発光手段と、前記記憶手段に記憶されているリモコンデータにおいて前記操作コードが対応付けられたキー情報が割り当てられている前記操作キーを点灯させるように前記発光手段を制御する発光制御手段と、
を備えることを特徴とするリモコン装置設定切替システム。
【請求項２】
所定数の操作キーが予め設けられたリモコン装置が、複数の機器をそれぞれ操作することができるように、前記リモコン装置の設定を切り替えるリモコン装置設定切替システムであって、
前記リモコン装置は、当該リモコン装置の各操作キーに割り当てられたキー情報を、所定の機器に送信する第１の送信手段を備え、
前記所定の機器は、前記リモコン装置から送信された前記キー情報に対して、当該機器を操作し動作制御するための操作コードを対応付けてなるリモコンデータを作成するリモコンデータ作成手段と、
前記リモコンデータ作成手段によって作成された前記リモコンデータを、前記リモコン装置に送信する第２の送信手段と、
を備えることを特徴とするリモコン装置設定切替システム。
【請求項３】
前記リモコン装置は、前記機器から送信された前記リモコンデータを記憶する記憶手段と、
前記操作キーが操作されたことに基づき、その操作キーに対応付けられた操作コードを前記機器に送信する第３の送信手段と、
を備えることを特徴とする請求項２に記載のリモコン装置設定切替システム。
【請求項４】
前記リモコン装置は、前記各操作キーの点灯／消灯を切り替える発光手段と、
前記リモコンデータにおいて、前記操作コードが対応付けられたキー情報が割り当てられている前記操作キーを点灯させるように前記発光手段を制御する発光制御手段と、
を備えることを特徴とする請求項２又は３に記載のリモコン装置設定切替システム。
【発明の詳細な説明】
【技術分野】
【０００１】
本発明は、リモコン装置設定切替システムに係り、特に複数の機器を操作可能にリモコン装置の設定を切り替えるリモコン装置設定切替システムに関する。
【背景技術】
【０００２】
近年、家庭には遠隔操作を可能とするようにリモートコントロール（リモコン）装置が付属されているＡＶ機器（例えば、テレビ、ビデオ等）が多くあり、それぞれのＡＶ機器操作用のリモコン装置が多数存在する状態が発生している。
そして、使用するＡＶ機器毎に、それら数多くのリモコン装置をその都度持ち変えて各機器を操作する煩雑さを回避するために、複数のＡＶ機器に対応したリモコンの機能や背定設定を１つのリモコン装置に組み込む技術が知られている。
【０００３】
例えば、新たなＡＶ機器を設置する際に、ＡＶ機器から所定のリモコンデータをリモコン装置に送信し、そのリモコンデータに基づきリモコン装置にＡＶ機器用の操作キーが設定されるシステムが知られている。また、新たなＡＶ機器を設置する際に、リモコン装置がＡＶ機器に対してリモコンデータの要求を行い、ＡＶ機器がその要求に応じて所定のリモコンデータをリモコン装置に送信することで、そのリモコンデータに基づきリモコン装置にＡＶ機器用の操作キーが設定されるシステムが知られている（例えば、特許文献１参照。）。
【０００４】
また、テレビやビデオレコーダ、ＤＶＤプレーヤのリモコンデータをメモリカードに書き込み、そのリモコンデータを記憶するメモリカードをリモコン装置に装着することによって、そのリモコン装置による各ＡＶ機器の操作を可能にするためのシステムが知られている（例えば、特許文献２参照。）。
【特許文献１】特開２００４−２８２４３０号公報
【特許文献２】特開２００２−２５２８８７号公報
【発明の開示】
【発明が解決しようとする課題】
【０００５】
しかしながら、上記特許文献１の場合、リモコン装置が、液晶表示パネルとタッチパネルとが積層されてなる操作部を有し、その操作部に任意の操作キーを表示設定することができるものであれば、リモコンの各操作機能に応じた様々な操作キーを設定することができるのでよいが、所定数の操作ボタンからなる操作キー群が予め設けられているリモコン装置である場合には、リモコンの各操作機能を各操作ボタンに好適に対応付けなければならないという問題があった。
【０００６】
また、上記特許文献２の場合、各ＡＶ機器のリモコンデータは、デジタルシリアルバスで接続されたデジタルテレビのメモリカード装着部を介してメモリカードに記憶しなければならず、個々のＡＶ機器毎にリモコン装置に対してリモコンデータを提供することができないので、デジタルテレビやシリアルバスなどに不具合が生じた際に、リモコン装置の設定が行えないことがあるという問題があった。
【０００７】
本発明の目的は、１つのリモコン装置に対して複数の機器に対応する操作機能の設定を好適に切り替えることができるリモコン装置設定切替システムを提供することである。
【課題を解決するための手段】
【０００８】
以上の課題を解決するため、請求項１に記載の発明は、所定数の操作キーが予め設けられたリモコン装置が複数の機器をそれぞれ操作することができるように、前記リモコン装置の設定を切り替えるリモコン装置設定切替システムであって、前記リモコン装置は、当該リモコン装置の各操作キーに割り当てられたキー情報を所定の機器に送信する第１の送信手段を備え、前記所定の機器は、前記リモコン装置から送信された前記キー情報に対して当該機器を操作し動作制御するための操作コードを対応付けてなるリモコンデータを作成するリモコンデータ作成手段と、前記リモコンデータ作成手段によって作成された前記リモコンデータを前記リモコン装置に送信する第２の送信手段と、を備えるとともに、前記リモコン装置は、前記機器から送信された前記リモコンデータを記憶する記憶手段と、前記操作キーが操作されたことに基づきその操作キーに対応付けられた操作コードを前記機器に送信する第３の送信手段と、を備え、更に、前記リモコン装置は、前記各操作キーの点灯／消灯を切り替える発光手段と、前記記憶手段に記憶されているリモコンデータにおいて前記操作コードが対応付けられたキー情報が割り当てられている前記操作キーを点灯させるように前記発光手段を制御する発光制御手段と、を備えることを特徴とする。
【０００９】
請求項２に記載の発明は、所定数の操作キーが予め設けられたリモコン装置が、複数の機器をそれぞれ操作することができるように、前記リモコン装置の設定を切り替えるリモコン装置設定切替システムであって、前記リモコン装置は、当該リモコン装置の各操作キーに割り当てられたキー情報を、所定の機器に送信する第１の送信手段を備え、前記所定の機器は、前記リモコン装置から送信された前記キー情報に対して、当該機器を操作し動作制御するための操作コードを対応付けてなるリモコンデータを作成するリモコンデータ作成手段と、前記リモコンデータ作成手段によって作成された前記リモコンデータを、前記リモコン装置に送信する第２の送信手段と、を備えることを特徴とする。
【００１０】
請求項３に記載の発明は、請求項２に記載のリモコン装置設定切替システムにおいて、前記リモコン装置は、前記機器から送信された前記リモコンデータを記憶する記憶手段と、前記操作キーが操作されたことに基づき、その操作キーに対応付けられた操作コードを前記機器に送信する第３の送信手段と、を備えることを特徴とする。
【００１１】
請求項４に記載の発明は、請求項２又は３に記載のリモコン装置設定切替システムにおいて、前記リモコン装置は、前記各操作キーの点灯／消灯を切り替える発光手段と、前記リモコンデータにおいて、前記操作コードが対応付けられたキー情報が割り当てられている前記操作キーを点灯させるように前記発光手段を制御する発光制御手段と、を備えることを特徴とする。
【発明の効果】
【００１２】
請求項１に記載の発明によれば、リモコン装置設定切替システムにおいて、リモコン装置の操作機能を設定する場合、リモコン装置が遠隔操作する対象となる所定の機器に対して、リモコン装置はそのリモコン装置が有する複数の操作キーにそれぞれ割り当てられたキー情報を送信する。一方、所定の機器は、リモコン装置から送信されたキー情報に、その機器を操作し動作制御するための操作コードを対応付けてなるリモコンデータを作成して、その作成したリモコンデータをリモコン装置に送信する。
つまり、リモコン装置は、リモコン装置の各操作キーに割り当てられたキー情報を所定の機器に対して送信するとともに、その機器において作成された、リモコン装置が有する操作キーに応じたキー情報に操作コードを対応付けたリモコンデータを受信することができる。
そして、リモコンデータを受信して取得したリモコン装置は、そのリモコンデータを記憶手段に記憶することができるので、リモコン装置はキー情報に操作コードを対応付けたリモコンデータに基づき、各操作キーに操作コードを割り当てることが可能になる。そして、リモコン装置の操作キーが操作されたことに基づき、その操作キーに割り当てられたキー情報に対応付けられた操作コードを、遠隔操作する対象となる所定の機器に送信することができるので、その機器を遠隔操作することができる。
【００１３】
特に、このリモコン装置設定切替システムにおいて、リモコン装置が所定の機器に対して各操作キーに割り当てられたキー情報を送信するとともに、所定の機器がキー情報に操作コードを対応付けて作成したリモコンデータをリモコン装置に送信するといった、リモコン装置のキー情報を中核とした双方向の通信を行うことによって、より確実にリモコン装置の各操作キーに所定の操作コードを対応付けて、リモコン装置が所定の機器を遠隔操作するための設定を施すことができる。
このように、リモコン装置設定切替システムにおいて、リモコン装置が遠隔操作する対象となる所定の機器に対して、それぞれキー情報を送信することによって、リモコン装置は各機器を操作し動作制御するためのリモコンデータを取得することができるので、リモコン装置において複数の機器に対応する操作設定を切り替えることができる。
よって、リモコン装置設定切替システムは、１つのリモコン装置に対して複数の機器に対応する操作機能の設定を好適に切り替えることができるリモコン装置設定切替システムであるといえる。
【００１４】
更に、リモコン装置設定切替システムにおけるリモコン装置は、各操作キーの点灯／消灯を切り替える発光手段を備えており、リモコン装置が有するリモコンデータにおいて、操作コードが対応付けられたキー情報が割り当てられている操作キーを点灯させることができる。
つまり、キー情報に操作コードが対応付けられてなるリモコンデータに基づいて、操作対象となっている機器を操作するために有効な操作キーを発光させるように、発光手段の点灯や消灯を切り替えることによって、所定の機器を操作するために有効な操作キーであるか否かを認識することができるようになる。
【００１５】
請求項２に記載の発明によれば、リモコン装置設定切替システムにおいて、リモコン装置の操作機能を設定する場合、リモコン装置が遠隔操作する対象となる所定の機器に対して、リモコン装置はそのリモコン装置が有する複数の操作キーにそれぞれ割り当てられたキー情報を送信する。一方、所定の機器は、リモコン装置から送信されたキー情報に、その機器を操作し動作制御するための操作コードを対応付けてなるリモコンデータを作成して、その作成したリモコンデータをリモコン装置に送信する。
つまり、リモコン装置は、リモコン装置の各操作キーに割り当てられたキー情報を所定の機器に対して送信するとともに、その機器において作成された、リモコン装置が有する操作キーに応じたキー情報に操作コードを対応付けたリモコンデータを受信することができる。
そして、リモコンデータを受信して取得したリモコン装置は、そのリモコンデータに基づき、各操作キーに対して所定の機器を操作し動作制御するための操作コードを対応付けることによって、そのリモコン装置の操作キーが操作されたことに伴い操作コードを所定の機器に送信することが可能になり、その機器を遠隔操作することが可能になる。
【００１６】
特に、このリモコン装置設定切替システムにおいて、リモコン装置が所定の機器に対して各操作キーに割り当てられたキー情報を送信するとともに、所定の機器がキー情報に操作コードを対応付けて作成したリモコンデータをリモコン装置に送信するといった、リモコン装置のキー情報を中核とした双方向の通信を行うことによって、より確実にリモコン装置の各操作キーに所定の操作コードを対応付けて、リモコン装置が所定の機器を遠隔操作するための設定を施すことができる。
このように、リモコン装置設定切替システムにおいて、リモコン装置が遠隔操作する対象となる所定の機器に対して、それぞれキー情報を送信することによって、リモコン装置は各機器を操作し動作制御するためのリモコンデータを取得することができるので、リモコン装置において複数の機器に対応する操作設定を切り替えることができる。
よって、リモコン装置設定切替システムは、１つのリモコン装置に対して複数の機器に対応する操作機能の設定を好適に切り替えることができるリモコン装置設定切替システムであるといえる。
【００１７】
請求項３に記載の発明によれば、請求項２に記載の発明と同様の効果が得られることは無論のこと、リモコン装置設定切替システムにおけるリモコン装置は、機器から送信されたリモコンデータを記憶する記憶手段を備えているので、リモコン装置は、キー情報に操作コードを対応付けたリモコンデータに基づき、各操作キーに操作コードを割り当てることが可能になる。
そして、リモコン装置の操作キーが操作されたことに基づき、その操作キーに割り当てられたキー情報に対応付けられた操作コードを、遠隔操作する対象となる所定の機器に送信することができるので、その機器を遠隔操作することができる。
【００１８】
請求項４に記載の発明によれば、請求項２又は３に記載の発明と同様の効果が得られることは無論のこと、リモコン装置設定切替システムにおけるリモコン装置は、各操作キーの点灯／消灯を切り替える発光手段を備えており、リモコン装置が有するリモコンデータにおいて、操作コードが対応付けられたキー情報が割り当てられている操作キーを点灯させることができる。
つまり、キー情報に操作コードが対応付けられてなるリモコンデータに基づいて、操作対象となっている機器を操作するために有効な操作キーを発光させるように、発光手段の点灯や消灯を切り替えることによって、所定の機器を操作するために有効な操作キーであるか否かを認識することができるようになる。
【発明を実施するための最良の形態】
【００１９】
以下、図面を参照して本発明に係るリモコン装置設定切替システムの実施形態について説明する。
なお、本実施の形態においては、ＡＶ機器であるテレビ受像機（以下、テレビと称する）とビデオ再生／録画装置（以下、ビデオと称する）を遠隔操作するリモコン装置に関するリモコン装置設定切替システムについて説明する。
【００２０】
図１はリモコン装置設定切替システム１００を構成するリモコン装置１０と、テレビ２０と、ビデオ３０を示す概略説明図であり、図２はリモコン装置設定切替システム１００におけるリモコン装置１０と、テレビ２０と、ビデオ３０の要部構成を示すブロック図である。
【００２１】
図１、図２に示すように、リモコン装置設定切替システム１００は、放送信号を受信して放送信号に応じた放送番組を放映するテレビ２０と、ビデオテープに記録されたプログラム信号を再生したり、放送信号などのプログラム信号を記録したりするビデオ３０と、そのテレビ２０とビデオ３０を遠隔操作するためのリモコン装置１０と、を備えている。また、このテレビ２０とビデオ３０は、所定のケーブル（図示省略）を介して接続されている。
なお、リモコン装置１０とテレビ２０の双方、また、リモコン装置１０とビデオ３０の双方において、各種データやコードが解読可能となるように、リモコン装置１０と、テレビ２０と、ビデオ３０とは、同じプロトコルを使用するようになっており、それら双方において共通するデータやコードが使用可能になっている。
【００２２】
リモコン装置１０は、ユーザによる操作指示を複数の機器であるテレビ２０やビデオ３０に対して出力するための装置であり、テレビ２０やビデオ３０の動作を、赤外線等を用いて指示して操作できるように構成されている。
リモコン装置１０は、図２に示すように、各種操作指示を入力するための各種キーが配置されてなる操作キー群１１と、操作キー群１１におけるそれぞれの操作キーの点灯／消灯を切り替える発光手段としてのＬＥＤ（Light Emitting Diode）群１２と、テレビ２０やビデオ３０と通信を行うための通信部１３と、テレビ２０やビデオ３０を操作し動作制御するための操作コード（リモコンデータ）等を記憶するメモリ１４と、リモコン装置１０の各部を制御するＣＰＵなどからなる制御部１５と、を備えている。
【００２３】
操作キー群１１は、図１に示すように、予めリモコン装置１０の本体に設けられている複数の操作ボタンであって、例えば、チャンネル番号などを指示入力するための１〜９の数字キー１１１と、ビデオの再生、停止を指示入力するためのＰＬＡＹキー１１４やＳＴＯＰキー１１５と、リモコン装置１０の操作対象とする機器（テレビ２０、ビデオ３０）を選択指示するための装置Ａキー１１２や装置Ｂキー１１３等を有している。なお、装置Ａキー１１２はテレビ２０を選択するための操作キー、装置Ｂキー１１３はビデオ３０を選択するための操作キーである。
この操作キー群１１の各操作キーが押下されて入力された操作指示は、通信部１３を介してテレビ２０やビデオ３０に送信される。
【００２４】
ＬＥＤ群１２は、各操作キー毎に備えられている発光ダイオードであって、リモコン装置１０の操作対象とする機器に応じて点灯と消灯とが切り替えられ、操作可能な操作キーを発光させるようになっている。
【００２５】
通信部１３は、テレビ２０やビデオ３０と所定の信号の送受信を行うことにより、リモコン装置１０とテレビ２０やビデオ３０の間で各種データや情報の授受を行う。
そして、通信部１３は、装置Ａキー１１２や装置Ｂキー１１３が操作されたことに基づき、リモコン装置１０の各操作キーに割り当てられたキー情報を、テレビ２０やビデオ３０に送信する第１の送信手段の一部として機能する。
また、通信部１３は、テレビ２０やビデオ３０から送信されたリモコンデータを受信して、その受信したリモコンデータを制御部１５を介してメモリ１４に送出する。
また、通信部１３は、操作キー群１１の操作キーが操作されたことに基づきその操作キーに割り当てられたキー情報に対応付けられた操作コードをテレビ２０やビデオ３０に送信する第３の送信手段の一部として機能する。
なお、第１の送信手段としての通信部１３がキー情報を送信する際と、通信部１３がリモコンデータを受信する際は、所定の有線通信手段を用いた双方向の通信をテレビ２０やビデオ３０と行うようになっている。また、第３の送信手段としての通信部１３が操作キーに割り当てられたキー情報に対応付けられた操作コードを送信する際は、赤外線を用いた通信を行うようになっている。
具体的には、通信部１３は、操作コード送信時、赤外線により操作コードを送信し、通信部２３や通信部３３は、赤外線の受信を行う（単方向通信）。
また、通信部１３は、キー情報（ＩＤ）送信時、通信部２３や通信部３３と所定の有線通信（双方向通信）を行う。
【００２６】
メモリ１４は、例えば、不揮発性の半導体メモリであり、リモコン装置１０の操作キー群１１の各操作キーに割り当てられたキー情報を記憶している。具体的には、図３に示すように、メモリ１４には、各操作キーのキー種別毎に割り当てられたキー情報のＩＤに関するテーブル１４ａが記憶されている。なお、１から９の数字キー１１１には、キー情報としてのＩＤ・０ｘ０１〜０ｘ０９が割り当てられ、ＰＬＡＹキー１１４にはＩＤ・０ｘ１０、ＳＴＯＰキー１１５にはＩＤ・０ｘ１１が割り当てられている。
また、メモリ１４は、テレビ２０やビデオ３０から送信されて通信部１３を介して受信したリモコンデータを記憶する記憶手段として機能する。
なお、キー情報（ＩＤ）を不揮発性メモリに記憶することに限らないが、メモリ１４が制御部１５の実行コード（プログラムコード）を含むものである場合は、キー情報もメモリ１４に記憶される。（例えば、不揮発メモリの用途が、リモコンデータ保存用のみの場合、キー情報を不揮発性メモリに記憶しない。）
また、テレビ２０やビデオ３０から送信されたリモコンデータは不揮発性メモリに保存されるが、この場合、キー情報（ＩＤ）と操作コードとを対応付けて、その両方とも保存する。
【００２７】
制御部１５は、リモコン装置１０における入力操作や、テレビ２０やビデオ３０からの各種信号等に基づき、リモコン装置１０の各部の制御をデータバス（Data-Bus）を介して行う。
【００２８】
そして、制御部１５は、装置Ａキー１１２や装置Ｂキー１１３が操作されたことに基づき、リモコン装置１０の各操作キーに割り当てられたキー情報（ＩＤ）を、テレビ２０やビデオ３０に送信する第１の送信手段の一部として機能する。つまり、制御部１５と通信部１３とが協働することより第１の送信手段としての機能が実行される。
なお、第１の送信手段としての制御部１５は、装置Ａキー１１２が押下され操作された場合には、キー情報（ＩＤ）をテレビ２０に送信し、装置Ｂキー１１３が押下され操作された場合には、キー情報（ＩＤ）をビデオ３０に送信する制御を実行する。
【００２９】
また、制御部１５は、通信部１３を介して受信したリモコンデータをメモリ１４に記憶させる制御を実行する。
【００３０】
また、制御部１５は、操作キー群１１の操作キーが操作されたことに基づきその操作キーに割り当てられたキー情報（ＩＤ）に対応付けられた操作コードをテレビ２０やビデオ３０に送信する第３の送信手段の一部として機能する。つまり、制御部１５と通信部１３とが協働することより第３の送信手段としての機能が実行される。
なお、第３の送信手段としての制御部１５は、メモリ１４に記憶されているリモコンデータを参照するようにして、操作キーに割り当てられたキー情報（ＩＤ）に対応付けられた操作コードを抽出するようになっている。そして、第３の送信手段としての制御部１５は、テレビ２０やビデオ３０を遠隔操作するために、それら機器を操作し動作制御するための操作コードをテレビ２０やビデオ３０に送信する制御を実行する。
【００３１】
また、制御部１５は、メモリ１４に記憶されているリモコンデータにおいて操作コードが対応付けられたキー情報（ＩＤ）が割り当てられている操作キーを点灯させるように、ＬＥＤ群１２を制御する発光制御手段として機能する。つまり、発光制御手段としての制御部１５は、メモリ１４に記憶されているリモコンデータに基づいて操作可能となっている機器（テレビ２０またはビデオ３０）の操作に有効な操作キーを発光させるように、ＬＥＤ群１２の点灯や消灯を切り替える制御を実行する。
【００３２】
テレビ２０は、図２に示すように、テレビジョン放送局から発信される放送信号を受信する受信部２１と、受信部２１が受信した放送信号に応じた放送番組を放映する出力部２２と、リモコン装置１０と通信を行うための通信部２３と、テレビ２０を操作し動作制御するための操作コード等を記憶するメモリ２４と、テレビ２０の各部を制御するＣＰＵなどからなる制御部２５と、を備えている。
なお、受信部２１が受信した放送信号などのプログラム信号は図示しないケーブルを介してビデオ３０に送出され、また、ビデオ３０がビデオテープを再生したプログラム信号が図示しないケーブルを介してテレビ２０の出力部２２に送出されるようになっている。
【００３３】
受信部２１は、例えば、アンテナやチューナを備え、テレビジョン放送局から発信される放送信号を受信し、受信した放送信号を映像信号と音声信号に分離して出力部２２に送出する。
【００３４】
出力部２２は、受信部２１から送出された映像信号に応じた映像を、例えば、液晶表示画面に表示し、また、受信部２１から送出された音声信号に応じた音声を、例えば、スピーカから出力するようにして、放送信号に応じた放送番組を放映する。
【００３５】
通信部２３は、リモコン装置１０と所定の信号の送受信を行うことにより、リモコン装置１０とテレビ２０の間で各種データや情報の授受を行う。
そして、通信部２３は、リモコン装置１０から送信された操作キー群１１の各操作キーに割り当てられたキー情報（ＩＤ）を受信する。
また、通信部２３は、後述する制御部２５によって作成されたリモコンデータをリモコン装置１０に送信する第２の送信手段の一部として機能する。
また、通信部２３は、リモコン装置１０において操作キー群１１の操作キーが操作されたことに基づいて送信された、その操作された操作キーのキー情報（ＩＤ）に対応付けられた操作コードを受信する。
なお、通信部２３がリモコン装置１０からのキー情報（ＩＤ）を受信する際と、第２の送信手段としての通信部２３がリモコンデータを送信する際は、所定の有線通信手段を用いた双方向の通信をリモコン装置１０と行うようになっている。また、通信部２３がリモコン装置１０から操作された操作キーに対応付けられた操作コードを受信する際は、赤外線を用いた通信を行うようになっている。
【００３６】
メモリ２４は、例えば、不揮発性の半導体メモリであり、テレビ２０を動作制御するための操作コード（例えば、０ｙ２１〜０ｙ２９）を記憶している。
【００３７】
制御部２５は、テレビ２０における入力操作や、リモコン装置１０からの各種信号等に基づき、テレビ２０の各部の制御をデータバス（Data-Bus）を介して行う。
【００３８】
そして、制御部２５は、通信部２３を介して受信した操作キー群１１の各操作キーに割り当てられたキー情報（ＩＤ）に対して、テレビ２０を動作制御するための操作コードを対応付けてなるリモコンデータを作成するリモコンデータ作成手段として機能する。
つまり、リモコンデータ作成手段としての制御部２５は、通信部２３を介して受信したキー情報（ＩＤ、例えば、０ｘ０１〜０ｘ１１）に対して、メモリ２４に記憶されている操作コード（例えば、０ｙ２１〜０ｙ２９）対応付けて、キー情報（ＩＤ）と操作コードとからなるリモコンデータを作成する制御を実行する。なお、テレビ２０とリモコン装置１０とが同じプロトコルを使用することによって、テレビ２０の制御部２５は、リモコン装置１０のキー情報（ＩＤ）に対応するキー種別を識別することが可能になるので、リモコン装置１０における操作キー群１１の各操作キーに対し、テレビ２０を操作するための操作コードを最適に対応付けて、好適なリモコンデータを作成することができる。
【００３９】
また、制御部２５は、リモコンデータ作成手段としての制御部２５が作成したリモコンデータを、リモコン装置１０に送信する第２の送信手段の一部として機能する。つまり、制御部２５と通信部２３とが協働することよって第２の送信手段としての機能が実行される。
【００４０】
また、制御部２５は、通信部２３を介して受信した操作コード、つまり、リモコン装置１０において操作キー群１１の操作キーが操作されたことに基づいて送信された、その操作された操作キーのキー情報（ＩＤ）に対応付けられた操作コードに応じて、テレビ２０の各部を動作させる制御を実行する。つまり、制御部２５は、リモコン装置１０によってテレビ２０が遠隔操作されるように、テレビ２０の各部を動作させる制御を実行する。
【００４１】
ビデオ３０は、図２に示すように、ビデオテープに記録されたプログラム信号を再生したり、放送信号などのプログラム信号を記録し録画したりする再生／録画部３１と、リモコン装置１０と通信を行うための通信部３３と、ビデオ３０を操作し動作制御するための操作コード等を記憶するメモリ３４と、ビデオ３０の各部を制御するＣＰＵなどからなる制御部３５と、を備えている。
なお、再生／録画部３１が再生したプログラム信号は図示しないケーブルを介してテレビ２０に送出され、また、テレビ２０から放送信号などのプログラム信号が図示しないケーブルを介して再生／録画部３１に送出されるようになっている。
【００４２】
再生／録画部３１は、ビデオテープを所定の方向に繰り出して送るリール部と、そのビデオテープに接触して所定の信号の再生や記録を行う磁気ヘッド等を有している。
【００４３】
通信部３３は、リモコン装置１０と所定の信号の送受信を行うことにより、リモコン装置１０とビデオ３０の間で各種データや情報の授受を行う。
そして、通信部３３は、リモコン装置１０から送信された操作キー群１１の各操作キーに割り当てられたキー情報（ＩＤ）を受信する。
また、通信部３３は、後述する制御部３５によって作成されたリモコンデータをリモコン装置１０に送信する第２の送信手段の一部として機能する。
また、通信部３３は、リモコン装置１０において操作キー群１１の操作キーが操作されたことに基づいて送信された、その操作された操作キーのキー情報（ＩＤ）に対応付けられた操作コードを受信する。
なお、通信部３３がリモコン装置１０からのキー情報（ＩＤ）を受信する際と、第２の送信手段としての通信部３３がリモコンデータを送信する際は、所定の有線通信手段を用いた双方向の通信をリモコン装置１０と行うようになっている。また、通信部３３がリモコン装置１０から操作された操作キーに対応付けられた操作コードを受信する際は、赤外線を用いた通信を行うようになっている。
【００４４】
メモリ３４は、例えば、不揮発性の半導体メモリであり、ビデオ３０を動作制御するための操作コード（例えば、０ｚ３１〜０ｚ４１）を記憶している。
【００４５】
制御部３５は、ビデオ３０における入力操作や、リモコン装置１０からの各種信号等に基づき、ビデオ３０の各部の制御をデータバス（Data-Bus）を介して行う。
【００４６】
そして、制御部３５は、通信部３３を介して受信した操作キー群１１の各操作キーに割り当てられたキー情報（ＩＤ）に対して、ビデオ３０を動作制御するための操作コードを対応付けてなるリモコンデータを作成するリモコンデータ作成手段として機能する。
つまり、リモコンデータ作成手段としての制御部３５は、通信部３３を介して受信したキー情報（ＩＤ、例えば、０ｘ０１〜０ｘ１１）に対して、メモリ３４に記憶されている操作コード（例えば、０ｚ３１〜０ｚ４１）対応付けて、キー情報（ＩＤ）と操作コードとからなるリモコンデータを作成する制御を実行する。なお、ビデオ３０とリモコン装置１０とが同じプロトコルを使用することによって、ビデオ３０の制御部３５は、リモコン装置１０のキー情報（ＩＤ）に対応するキー種別を識別することが可能になるので、リモコン装置１０における操作キー群１１の各操作キーに対し、ビデオ３０を操作するための操作コードを最適に対応付けて、好適なリモコンデータを作成することができる。
【００４７】
また、制御部３５は、リモコンデータ作成手段としての制御部３５が作成したリモコンデータを、リモコン装置１０に送信する第２の送信手段の一部として機能する。つまり、制御部３５と通信部３３とが協働することよって第２の送信手段としての機能が実行される。
【００４８】
また、制御部３５は、通信部３３を介して受信した操作コード、つまり、リモコン装置１０において操作キー群１１の操作キーが操作されたことに基づいて送信された、その操作された操作キーのキー情報（ＩＤ）に対応付けられた操作コードに応じて、ビデオ３０の各部を動作させる制御を実行する。つまり、制御部３５は、リモコン装置１０によってビデオ３０が遠隔操作されるように、ビデオ３０の各部を動作させる制御を実行する。
【００４９】
次に、本発明に係るリモコン装置設定切替システムの動作処理について、図４に示すフローチャートに基づき説明する。
【００５０】
まず、リモコン装置１０において、制御部１５は、キーの押下を検出する（ステップＳ１０１）。
制御部１５が、操作キー群１１の装置Ａキー１１２又は装置Ｂキー１１３が押下されたと判断すると（ステップＳ１０１；装置Ａキーｏｒ装置Ｂキー）、ステップＳ１０２へ進む。
制御部１５が、操作キー群１１の操作キー（例えば、数字キー１１１）が押下されたと判断すると（ステップＳ１０１；操作キー）、ステップＳ１１２へ進む。
なお、制御部１５がキーの押下を検出しない場合は検出するまで待機する。
【００５１】
ステップＳ１０２において、制御部１５は、装置Ａキー１１２又は装置Ｂキー１１３の押下が、単発押しであるか、長押しであるか判断する（ステップＳ１０２）。
制御部１５が、単発押しであると判断すると（ステップＳ１０２；単発押し）、ステップＳ１０４へ進む。
制御部１５が、長押しであると判断すると（ステップＳ１０２；長押し）、制御部１５は、装置Ａキー１１２又は装置Ｂキー１１３に対応付けて登録されているリモコンデータを削除し、未登録の状態に戻す（ステップＳ１０３）。そして、ステップＳ１０１に戻る。
【００５２】
ステップＳ１０４において、制御部１５は、装置Ａ／Ｂ（テレビ／ビデオ）の切り替えの判定や、リモコンコードの登録の有無を判断する（ステップＳ１０４）。
制御部１５が、リモコンコードは登録済みであると判断すると（ステップＳ１０４；Ｙｅｓ）、制御部１５は、各装置キー（装置Ａキーｏｒ装置Ｂキー）に対応する有効なキーのＬＥＤを点灯させる（ステップＳ１０５）。
なお、装置Ａキー１１２が押下された場合、テレビ２０に対して有効な操作キー全てのＬＥＤが点灯する。具体的には、例えば、１〜９の数字キー１１１のキー情報（ＩＤ・０ｘ０１〜０ｘ０９）に操作コード（０ｙ２１〜０ｙ２９）が対応付けられているので、図６に示すように、リモコン装置１０において１〜９の数字キー１１１が発光し、その数字キー１１１がテレビ２０を操作するために有効な操作キーであることが認識可能となる。なお、リモコン装置１０がテレビ操作用に設定されている旨を認識可能とするために、装置Ａキー１１２も発光するようになっている。
また、装置Ｂキー１１３が押下された場合、ビデオ３０に対して有効な操作キー全てのＬＥＤが点灯する。具体的には、１〜９の数字キー１１１のキー情報（ＩＤ・０ｘ０１〜０ｘ１１）に操作コード（０ｚ３１〜０ｚ４１）が対応付けられているので、図８に示すように、リモコン装置１０において１〜９の数字キー１１１及びＰＬＡＹキー１１４とＳＴＯＰキー１１５が発光し、それら発光している操作キーがビデオ３０を操作するために有効な操作キーであることが認識可能となる。なお、リモコン装置１０がビデオ操作用に設定されている旨を認識可能とするために、装置Ｂキー１１３も発光するようになっている。
そして、ステップＳ１０１に戻る。
【００５３】
一方、制御部１５が、リモコンコードは登録済みでないと判断すると（ステップＳ１０４；Ｎｏ）、制御部１５、各装置キー（装置Ａキーｏｒ装置Ｂキー）に対応する機器に、キー情報（ＩＤ）を送信する（ステップＳ１０６）。なお、装置Ａキー１１２が押下された場合、リモコン１０はテレビ２０に対してキー情報（例えば、図５（ａ）に示すＩＤ）を送信し、装置Ｂキー１１３が押下された場合、リモコン１０はビデオ３０に対してキー情報（例えば、図７（ａ）に示すＩＤ）を送信する。
【００５４】
そして、機器であるテレビ２０又はビデオ３０は、リモコン１０から送信されたキー情報（ＩＤ）を受信する（ステップＳ１０７）。
次いで、機器であるテレビ２０又はビデオ３０は、その機器自身が操作されるのに必要な操作コードをキー情報に関連つけ、リモコンデータを作成する（ステップＳ１０８）。
具体的には、テレビ２０の制御部２５は、そのキー情報（ＩＤ）に対して、テレビ２０を動作制御するための操作コードを対応付けてなるリモコンデータ（例えば、図５（ｂ）に示すリモコンデータ）を作成する。なお、図５（ｂ）に示すように、テレビ２０を動作制御するための操作コードには、ＩＤの０ｘ１０と０ｘ１１に対応するものがないので、ＰＬＡＹキー１１４とＳＴＯＰキー１１５に相当する操作コードはブランクとなっている。
また、ビデオ３０の制御部３５は、そのキー情報（ＩＤ）に対して、ビデオ３０を動作制御するための操作コードを対応付けてなるリモコンデータ（例えば、図７（ｂ）に示すリモコンデータ）を作成する。
【００５５】
次いで、機器であるテレビ２０又はビデオ３０は、作成したリモコンデータをリモコン１０に送信する（ステップＳ１０９）。
【００５６】
そして、リモコン１０は、機器から送信されたリモコンデータを受信し（ステップＳ１１０）、受信したリモコンデータをメモリ１４に記憶する（ステップＳ１１１）。
具体的には、メモリ１４に記憶されるリモコンデータは、図５（ｃ）に示すように、操作キー群１１の各操作キーにテレビ２０を操作し動作制御するための操作コードが対応付けられるように格納されている。なお、ＰＬＡＹキー１１４とＳＴＯＰキー１１５に相当する操作コードはないため、ＰＬＡＹキー１１４とＳＴＯＰキー１１５にはテレビ２０を操作する機能が付与されていない。
また、このメモリ１４に記憶されるリモコンデータは、図７（ｃ）に示すように、操作キー群１１の各操作キーにビデオ３０を操作し動作制御するための操作コードが対応付けられるように格納されている。
そして、ステップＳ１０１に戻る。
【００５７】
ステップＳ１１２において、メモリ１４に記憶されるリモコンデータに応じて、押下された操作キーに対応する適切な操作コードを、機器であるテレビ２０又はビデオ３０に送信する（ステップＳ１１２）。
【００５８】
そして、機器であるテレビ２０又はビデオ３０は、リモコン１０から送信された操作コードを受信し（ステップＳ１１３）、その操作コードに応じた動作を実行する。
例えば、テレビ２０の制御部２５は、その操作コードに応じてテレビ２０の各部を動作させ所定の処理（例えば、チャンネルの切り替え、音声ボリュームの調整など）を実行する。また、ビデオ３０の制御部３５は、その操作コードに応じてビデオ３０の各部を動作させ所定の処理（例えば、ビデオテープの再生・停止、早送り・巻き戻しなど）を実行する。
【００５９】
なお、このリモコン装置設定切替システム１００において、メモリ１４の所定の領域にテレビ２０用のリモコンデータと、ビデオ３０用のリモコンデータとを記憶して格納した後は、リモコン装置１０の装置Ａキー１１２が押下されるとメモリ１４に格納されているリモコンデータに基づきリモコン装置１０はテレビ操作用の設定に切り替わり、リモコン装置１０の装置Ｂキー１１３が押下されるとメモリ１４に格納されているリモコンデータに基づきリモコン装置１０はビデオ操作用の設定に切り替わるようになっており、その都度リモコン装置１０と、テレビ２０やビデオ３０との双方向の通信を行わなくても、リモコン装置１０の設定を切り替えることが可能になっている。
【００６０】
このように、本発明に係るリモコン装置設定切替システム１００によれば、リモコン装置１０の装置Ａキー１１２や装置Ｂキー１１３を操作することによって、リモコン装置１０をテレビ操作用の設定とビデオ操作用の設定とに切り替えることができる。
【００６１】
具体的には、リモコン装置１０の装置Ａキー１１２が操作された場合、リモコン装置１０の各操作キーに割り当てられたキー情報（ＩＤ）がテレビ２０に送信されて、テレビ２０を操作し動作制御するための操作コードがそのキー情報（ＩＤ）に対応付けられてなるリモコンデータがテレビ２０において作成される。そして、テレビ２０において作成されたリモコンデータがリモコン装置１０に送信されることに伴い、リモコン装置１０の操作キー群１１を操作することに基づきテレビ２０を遠隔操作することが可能になる。
同様に、リモコン装置１０の装置Ｂキー１１３が操作された場合、リモコン装置１０の各操作キーに割り当てられたキー情報（ＩＤ）がビデオ３０に送信されて、ビデオ３０を操作し動作制御するための操作コードがそのキー情報（ＩＤ）に対応付けられてなるリモコンデータがビデオ３０において作成される。そして、ビデオ３０において作成されたリモコンデータがリモコン装置１０に送信されることに伴い、リモコン装置１０の操作キー群１１を操作することに基づきビデオ３０を遠隔操作することが可能になる。
【００６２】
特に、このリモコン装置設定切替システム１００において、リモコン装置１０の操作機能を設定する場合、リモコン装置１０が、遠隔操作する対象となるテレビ２０やビデオ３０などの機器に対して、リモコン装置１０の操作キー群１１の各操作キーに割り当てられたキー情報（ＩＤ）を送信するとともに、テレビ２０やビデオ３０などの機器側で、リモコン装置１０が有する操作キーに応じたキー情報（ＩＤ）にその機器を操作するための操作コードを対応付けたリモコンデータを作成し、その作成したリモコンデータをリモコン装置１０に送信するといった、リモコン装置１０のキー情報（ＩＤ）を中核とした双方向の通信を行うことによって、より確実にリモコン装置１０の操作キー群１１の各操作キーにテレビ２０やビデオ３０を遠隔操作するための設定を施すことができ、リモコン装置１０におけるテレビ操作機能の設定と、ビデオ操作機能の設定とを好適に切り替えることができる。
従って、リモコン装置設定切替システム１００は、１つのリモコン装置１０に対して複数の機器（テレビ２０やビデオ３０）に対応する操作機能の設定を好適に切り替えることができるリモコン装置設定切替システムであるといえる。
【００６３】
また、ユーザは、１つのリモコン装置１０によって複数の機器であるテレビ２０とビデオ３０を遠隔操作することができるようになるので、テレビ２０の操作とビデオ３０の操作を行う際に、それぞれの機器に応じたリモコンに持ち変える煩雑な動作をする必要がなくなることとなって、リモコン操作に関するストレスが低減する。
【００６４】
また、ＡＶ機器製造メーカにおいては、テレビ１０とビデオ２０を製造販売する際に、何れか一方の機器にリモコン装置１０を付属させるようにすればよいので、製造コストや販売コストを低減することができるメリットがある。
【００６５】
なお、以上の実施の形態においては、複数の機器としてのテレビ２０とビデオ３０をリモコン装置１０で操作する場合を例に挙げて説明したが、本発明はこれに限定されるものではなく、機器はＤＶＤプレーヤなどのＡＶ機器や、その他任意の機器であってもよい。
【００６６】
また、以上の実施の形態においては、テレビ２０とビデオ３０の２つの機器をリモコン装置１０で操作する場合を説明したため、リモコン装置１０の設定を切り替えるための装置Ａキー１１２と装置Ｂキー１１３の２つの切替キーを備える構成を例に挙げたが、本発明はこれに限定されるものではなく、リモコン装置１０で操作する機器の数に応じた３つ以上の切替キーを備えるようにしてもよい。
また、リモコン装置１０で操作する機器の数であって、複数の切替キー（例えば、装置Ａキー１１２と装置Ｂキー１１３）の数に応じて、各機器毎のリモコンデータを格納する領域をメモリ１４に備えることが好ましい。
【００６７】
また、以上の実施の形態においては、リモコン装置１０と、テレビ２０やビデオ３０の間で、キー情報（ＩＤ）とリモコンデータを送受信する場合には、所定の有線通信手段を用いた双方向の通信を行うとしたが、本発明はこれに限定されるものではなく、例えば、キー情報（ＩＤ）やリモコンデータを送信する際に通信エラーが発生した場合に、自動的に再送信処理を実行し、確実に通信を行うことができる方式の通信手段であれば、無線を用いた通信手段であってもよい。
【００６８】
また、以上の実施の形態におけるリモコン装置１０は、本発明を説明する上で必要最小限の操作キーのみを備えているものであって、テレビ２０やビデオ３０などを操作するために必要な幾つかの操作キーの図示は省略している。つまり、リモコン装置設定切替システム１００におけるリモコン装置は、このリモコン装置１０に限定されるものではなく、任意のリモコン装置であってよい。
【００６９】
また、その他、具体的な細部構造等についても適宜に変更可能であることは勿論である。
【図面の簡単な説明】
【００７０】
【図１】リモコン装置設定切替システムを構成するリモコン装置と、テレビと、ビデオを示す概略説明図である。
【図２】リモコン装置設定切替システムにおけるリモコン装置と、テレビと、ビデオの要部構成を示すブロック図である。
【図３】操作キー群の操作キーのキー種別毎に割り当てられたキー情報（ＩＤ）に関するテーブルを示す説明図である。
【図４】リモコン装置設定切替システムの動作処理を示すフローチャートである。
【図５】リモコン装置設定切替システムにおいて、リモコン装置とテレビとの間で授受される各種信号データに関する説明図であり、リモコン装置からテレビに送信されるキー情報（ａ）、キー情報に操作コードを対応付けたリモコンデータ（ｂ）、リモコンのメモリに格納されたテレビ用のリモコンデータ（ｃ）である。
【図６】テレビ操作用に設定されたリモコン装置を示す正面図である。
【図７】リモコン装置設定切替システムにおいて、リモコン装置とビデオとの間で授受される各種信号データに関する説明図であり、リモコン装置からビデオに送信されるキー情報（ａ）、キー情報に操作コードを対応付けたリモコンデータ（ｂ）、リモコンのメモリに格納されたビデオ用のリモコンデータ（ｃ）である。
【図８】ビデオ操作用に設定されたリモコン装置を示す正面図である。
【符号の説明】
【００７１】
１０    リモコン装置
１１    操作キー群
１１１  数字キー
１１２  装置Ａキー
１１３  装置Ｂキー
１１４  ＰＬＡＹキー
１１５  ＳＴＯＰキー
１２    ＬＥＤ群（発光手段）
１３    通信部（第１の送信手段、第３の送信手段）
１４    メモリ（記憶手段）
１４ａ  テーブル
１５    制御部（第１の送信手段、第３の送信手段、発光制御手段）
２０    テレビ（機器）
２１    受信部
２２    出力部
２３    通信部（第２の送信手段）
２４    メモリ
２５    制御部（第２の送信手段、リモコンデータ作成手段）
３０    ビデオ（機器）
３１    再生／録画部
３３    通信部（第２の送信手段）
３４    メモリ
３５    制御部（第２の送信手段、リモコンデータ作成手段）
１００  リモコン装置設定切替システム
【図１】
2007312103.tif 000003
【図２】
2007312103.tif 000004
【図３】
2007312103.tif 000005
【図４】
2007312103.tif 000006
【図５】
2007312103.tif 000007
【図６】
2007312103.tif 000008
【図７】
2007312103.tif 000009
【図８】
2007312103.tif 000010